(57)【要約】  【課題】  視認性をより長期間にわたって維持できる路面上の表示物を提供する。  【解決手段】  路面広告シート２は、不織布などからなるシート部と、シート部の印刷面に設けられた突出部（ガラスビーズ１４）と、粘着層とを有する。印刷面に設けられた突出部は、シート部よりも硬い材料で構成されているため、路面広告シート２の上を人などが通っても、印刷面に塗布された塗料の摩耗が抑制される。これにより、印刷内容（広告など）の視認性をより長期間維持することができる。【選択図】図２
2010060752.tif 000002
【特許請求の範囲】
【請求項１】
可撓性を有するシート部と、
前記シート部の一方の面に設けられた印刷面と、
前記印刷面から突出した突出部と
を有し、
前記突出部は前記シート部よりも硬い材料からなる
印刷用シート。
【請求項２】
前記シート部は、繊維素材及び接着剤からなり、
前記突出部は、ガラスからなる
請求項１に記載の印刷用シート。
【請求項３】
前記シート部の他方の面に設けられた粘着層
をさらに有する請求項１に記載の印刷用シート。
【請求項４】
可撓性を有するシート部と、
前記シート部の一方の面に設けられ、広告が印刷された印刷面と、
前記印刷面から突出した突出部と
を有し、
前記突出部は前記シート部よりも硬い材料からなる
路面広告シート。
【請求項５】
可撓性を有するシートの面のうち、突出部が設けられた面に、所望の画像を印刷するステップと、
画像が印刷されたシートを路面に固定させるステップと
を有する施工方法。
【発明の詳細な説明】
【技術分野】
【０００１】
本発明は、画像を印刷するための印刷用シートに関する。
【背景技術】
【０００２】
屋内又は屋外を問わず、路面上の表示物は、人の歩行、物の運搬又は車両の通行などによって摩耗消失することが多い。そのため、特に商業広告の表示物では、その視認性が重要になるため、路面ではなく、壁面などを媒体とする場合が多い。
なお、特許文献１には、道路上の白線及び黄線の上に公広告をする旨が開示されている。
【特許文献１】実開平３−６５１９０号公報
【発明の開示】
【発明が解決しようとする課題】
【０００３】
本発明は、視認性をより長期間にわたって維持できる路面上の表示物を提供することを目的とする。
【課題を解決するための手段】
【０００４】
本発明に係る印刷用シートは、可撓性を有するシート部と、前記シート部の一方の面に設けられた印刷面と、前記印刷面から突出した突出部とを有し、前記突出部は前記シート部よりも硬い材料からなる。
【０００５】
好適には、前記シート部は、繊維素材及び接着剤からなり、前記突出部は、ガラスからなる。
【０００６】
好適には、前記シート部の他方の面に設けられた粘着層をさらに有する。
【０００７】
また、本発明に係る路面広告シートは、可撓性を有するシート部と、前記シート部の一方の面に設けられ、広告が印刷された印刷面と、前記印刷面から突出した突出部とを有し、前記突出部は前記シート部よりも硬い材料からなる。
なお、本出願における「路面」とは、屋外の地面だけでなく、室内の床面なども含む概念である。
【０００８】
また、本発明に係る施工方法は、可撓性を有するシートの面のうち、突出部が設けられた面に、所望の画像を印刷するステップと、画像が印刷されたシートを路面に固定させるステップとを有する。
【発明の効果】
【０００９】
本発明によれば、視認性をより長期間にわたって維持できる路面上の表示物を提供できる。
【発明を実施するための最良の形態】
【００１０】
まず、画像が印刷される前のシート（印刷用シート１）を説明する。
図１（Ａ）は、印刷用シート１の表面を例示し、図１（Ｂ)は、印刷用シート１の断面を模式的に説明する図である。
図１（Ａ）に例示するように、印刷用シート１は、可撓性を有するシート状の部材（シート部）で構成されており、その一方の面が、画像を印刷するための印刷面１０である。印刷面１０には、シート部よりも硬い材料で構成された突出部（後述のガラスビーズ）が設けられている。
【００１１】
図１（Ｂ）は、図１（Ａ）に示された印刷用シート１の断面αを模式的に表す図である。
図１（Ｂ）に例示するように、印刷用シート１の表面（すなわち、印刷面１０）には、シート部１２からガラスビーズ１４が突出して突出部を形成している。
このシート部１２から突出したガラスビーズ１４は、歩行者などが滑るのを防止すると共に、シート部１２の表面に塗布された塗料を摩耗から保護する機能を有する。
また、印刷用シート１の裏面には、粘着層１６が設けられている。
【００１２】
図２は、図１（Ｂ)の印刷用シート１の拡大断面を模式的に表す図である。
図２に例示するように、シート部１２は、不織布基材１２０と、バインダー層１２２とで構成されている。不織布基材１２０は、例えば、厚さ１５０〜２５０μｍのポリエステル不織布であるが、これに限定されるものではなく、他の繊維素材であってもよい。シート部１２に繊維素材を埋め込むことにより、印刷用シート１の剥離時などにおけるシートの破断が抑制される。本例の不織布基材１２０はウレタン系接着剤によって目止めされている。
バインダー層１２２は、ガラスビーズ１４をシート部１２の表面に結合させる結合材であり、例えば、ウレタン系接着剤で構成される。
このように構成されるシート部１２は、可撓性を有し、路面の凹凸に合わせることができる。
【００１３】
また、ガラスビーズ１４は、例えば、粒径２５０μｍ〜３５０μｍの透明な球形ガラスである。なお、突出部を構成する材料は、このガラスビーズ１４に限定されるものではなく、例えば、砥石などのように鏡面反射のほとんどない硬質粒子であってもよい。
粘着層１６は、路面上に印刷用シート１を固定するための固定材料であり、例えば、耐水性のあるアクリル系粘着剤である。粘着層１６は、路面から剥離可能な粘着剤で構成されることが望ましい。印刷用シート１に広告が印刷される場合などには、広告を変更する際に印刷用シート１が容易に剥離できることが望ましいからである。
【００１４】
次に、印刷後のシート（路面広告シート２）を説明する。なお、本実施形態では、印刷用シート１（図１,図２）の印刷面１０に広告が印刷されたものを路面広告シート２と呼ぶ。
図３（Ａ）は、路面広告シート２の表面を例示し、図３（Ｂ）は、路面広告シート２の拡大断面を模式的に表す図である。なお、本例では、１枚のシートからなる路面広告シート２を例示しているが、表示物のサイズが大きい場合には、路面広告シート２は複数の部分に分割されていてもよい。
図３（Ａ）に例示するように、路面広告シート２の印刷面には、広告表示２０が印刷される。広告表示の印刷は、例えば、インクジェット方式の印刷機によって行われる。したがって、路面広告シート２の印刷面には、図３（Ｂ）に例示するように、塗料が塗布されている。印刷直後には、塗料がガラスビーズ１４の表面にも塗布されているが、人の歩行などによって、突出したガラスビーズ上の塗料は剥がれてしまうが、シート部の表面には塗料が残る。これによって、印刷された広告表示２０の視認性が長期間維持される。
【００１５】
次に、路面広告シート２の施工方法を説明する。
第１の工程では、印刷用シート１の印刷面１０（図１）に、インクジェット式印刷機などで、広告表示２０を印刷する。なお、印刷用シート１の粘着層１６が離形紙で保護されている場合には、広告表示２０を印刷する前に、トンネル現象を修正することが望ましい。
第２の工程では、広告表示２０が印刷された印刷用シート１の外縁をカットして、路面広告シート２（図３）を完成させる。
第３の工程では、路面に地塗り剤（プライマー）を塗布する。プライマー塗布前に、路面を清掃することが望ましい。なお、路面広告シート２の設置期間が短い場合、又は、地塗り剤による路面の変性を防止したい場合には、本工程のプライマー塗布は実施しないことが望ましい。
第４の工程では、プライマーが塗布された路面に、路面広告シート２を貼り付けて、路面広告シート２を、路面の凹凸が路面広告シート２の表面に表れるくらいまで押圧する。
以上の工程により、路面広告シート２が路面に設置される。なお、上記具体例では、路面広告シート２を完成させてから、路面への施工を行っているが、これに限定されるものではなく、例えば、印刷用シート１を路面に貼り付けた後で、広告表示２０を印刷してもよい。ただし、この場合には、現場での印刷となるため、広告主に対して予め広告表示２０を提示することができない。また、現場での施工時間が長くなる。
【００１６】
以上説明したように、本実施形態の路面広告シート２は、印刷面の表面に、シート部よりも硬い突出部（ガラスビーズ１４）を有するため、印刷面に塗布された塗料の摩耗が抑制されて、印刷内容（広告など）の視認性をより長期間維持することができる。
なお、上記実施形態では、シート部にガラスビーズを固着させる形態を説明したが、これに限定されるものではなく、例えば、シート材の表面にエンボス加工を施して、シート材表面に凹凸を形成し、形成された凸部を硬化させて突出部としてもよい。
また、上記実施形態では、印刷用シート１に広告を印刷して、路面広告用の路面広告シート２を作成しているが、同様に、印刷用シート１に広告を印刷して、壁面広告用の壁面広告シートを作成してもよい。壁面広告シートは、建造物などの壁面（例えば、コンクリート壁面）に固定される点でのみ、路面広告シート２と異なる。
【図面の簡単な説明】
【００１７】
【図１】印刷用シート１を説明する図である。
【図２】印刷用シート１の断面を模式的に説明する図である。
【図３】路面広告シート２を説明する図である。
【符号の説明】
【００１８】
１・・・印刷用シート
２・・・路面広告シート
１０・・・印刷面
１２・・・シート部
１２０・・・不織布基材
１２２・・・バインダー層
１４・・・ガラスビーズ
１６・・・粘着層
２０・・・広告表示
【図１】
2010060752.tif 000003
【図２】
2010060752.tif 000004
【図３】
2010060752.tif 000005